(57)【要約】【課題】使用時に設置位置から落下することなく、内容物を最後まで供給することができる、スペースを占有しないディスペンサを提供すること。【解決手段】横型ポンプ付きディスペンサ１は、包装袋２と、包装袋２を吊り下げるための吊下げ部３と、横型ポンプ部４を有する。吊下げ部３及び横型ポンプ部４は、それぞれ吸盤部１０、１３を有し、壁面に吸着固定される。横型ポンプ部４のポンプヘッドの押圧方向は、吸盤部１３の中心を通るため、ポンプ使用時に吸盤部１３の吸着力を維持又は増大させ、横型ポンプ付きディスペンサ１が落下するおそれがない。【選択図】図１
2015067324.tif 000002
【特許請求の範囲】
【請求項１】
壁面への吸着面を有する吸盤部と、
流入口と吐出口との間の導路の一部を形成するポンプシリンダと、
前記ポンプシリンダの押圧方向の中心軸上に前記吸着面がある、
ことを特徴とする、ポンプ。
【請求項２】
請求項１に記載の前記ポンプと、
シール部を有する包装袋と、を備え、
前記シール部は吊下げ可能な領域を有するディスペンサ。
【請求項３】
前記包装袋を吊り下げるための吸盤を備える吊下げ部、
を有する請求項２に記載のディスペンサ。
【請求項４】
前記吊下げ部は、さらに吊り下げ用フック部を有し、
前記シール部は、前記吊り下げ用フック部を通すための孔を有する、
請求項３に記載のディスペンサ。
【請求項５】
前記吊下げ部は、さらにクリップ部を有する、
請求項３に記載のディスペンサ。
【発明の詳細な説明】
【技術分野】
【０００１】
本発明は、使用時に設置位置から落下することなく、内容物を余すことなく供給することができる、スペースを占有しないディスペンサに関する。
【背景技術】
【０００２】
従来から、シャンプー等の流体を収納し、ポンプにより吐出する、ポンプ付き容器がある。ポンプ付き容器は、例えば、浴室等の所定の載置場所に置かれるため、狭いユニットバス等では、載置場所が確保できない、若しくは平面スペースを占有してしまうというおそれがあった。また、ポンプ付き容器を使用する場合、ポンプヘッドを正確に鉛直方向に押圧しないと、容器が転倒するおそれがあった。
そこで、従来、特許文献１〜３に開示されているような技術が開発されてきた。
【０００３】
特許文献１には、載置場所としてのスペースを少なくするため、ポンプ付き容器を壁面に固定させる吊下具が開示されている。ポンプ付き容器の吊下具は、図６に示すように、吸盤６１が壁面に吸着され、係着部６２が容器のネジ筒６３に外嵌することにより、タンク状の容器６４を壁面に固定している。そして、押圧子６５がポンプヘッド６６の上部に跨って係着されているため、ポンプ付き容器の使用者が、押圧子６５を上方に引き上げるように操作すると、梃子の原理により、ポンプの吐出口６７から、容器に収納されている流体が吐出する。
【０００４】
また、特許文献２には、壁面に固定されたパウチ収容器が開示されている。特許文献２に記載されたパウチ収容器は、図７に示すように、ポンプ手段７１を備える台部７２が壁面に吸盤７３により吸着され、台部７２から上方に突出するチューブ７４の先端が流体を収納するパウチ７６の底部に突き刺さるように設置されている。
【０００５】
さらに、特許文献３には、流体を収納するパウチを吊り下げて使用する技術が開示されている。特許文献３には、図８に示すように、上端に吊下げ用取付け部８１、下端にポンプ部８２を有する、合成樹脂性フィルムからなるパウチ８３が開示されている。
【先行技術文献】
【特許文献】
【０００６】
【特許文献１】特開２００２−１５３３９３号公報
【特許文献２】特許第３５５８３８７号公報
【特許文献３】特開２００６−５６５８８号公報
【発明の概要】
【発明が解決しようとする課題】
【０００７】
しかしながら、上述した特許文献１の技術では、タンク状の容器６４が空間を占有するため、例えば、狭いユニットバスの中においては、この容器６４が邪魔になるおそれがあった。また、押圧子６５による押圧が鉛直方向であるために、押圧力の一部が吸盤６１の吸着力を減少させるように作用し、吸盤６１が吸着力を失い、容器６４が落下するおそれがあった。
【０００８】
また、特許文献２の技術では、パウチ７６を載せる台部７２及び容器７５の容積が大きく空間を占有してしまうおそれや、さらには台部７２及び容器７５が比較的重量が大きいことから落下してしまうおそれもあった。また、チューブ７４が上方へ張り出ているため、パウチ７６の下部に溜まった流体が吸引されずに残存してしまい、パウチ内の流体を余すことなく吐出させることができない等の問題点があった。
【０００９】
さらに、特許文献３の技術では、使用時に、パウチ８３の有するポンプ部８２を、指で摘まんで、押圧することにより流体を吐出させるため、例えば、視界の不自由な洗髪時に、ポンプ部８２の位置を視認してからポンプ部８２を摘まんで使用しなければならない煩雑さと、誤ってポンプ部８２を引っ張りすぎて、固定されたパウチ８３が落下してしまうおそれとがあった。
【００１０】
本発明は、このような状況に鑑みてなされたものであり、使用時に設置位置から落下することなく、内容物を余すことなく供給することができる、スペースを占有しないディスペンサを提供することを目的とする。
【課題を解決するための手段】
【００１１】
（１）上記目的を達成するため、本発明の一態様のポンプは、壁面への吸着面を有する吸盤部と、流入口と吐出口との間の導路の一部を形成するポンプシリンダと、前記ポンプシリンダの押圧方向の中心軸上に前記吸着面がある、ことを特徴とする。
【００１２】
（１）の発明によれば、例えば、ポンプの押圧方向が、吸盤部の中心を通ることは、ポンプ使用時に吸盤の吸着力を維持又は増大させるため、横型ポンプが落下するおそれがない。
【００１３】
（２）上記目的を達成するため、本発明の一態様のディスペンサは、（１）に記載の前記ポンプと、シール部を有する包装袋と、を備え、前記シール部は吊下げ可能な領域を有するディスペンサ。
【００１４】
（２）の発明によれば、例えば、適切な壁面がある場所に、包装袋を吊下げて設置されるため、洗面台や棚等のスペースがなくてもディスペンサを設置することができる。また、包装袋内の内容物が、使用により無くなった場合、内容物が充填された包装袋を付け替えるだけで済むため、硬質の容器に内容物を詰め替える手間を省くことができ、包装袋自体を容器として使用することができる。
【００１５】
（３）上記目的を達成するため、本発明の一態様のディスペンサは、前記包装袋を吊り下げるための吸盤を備える吊下げ部を有する、ことを特徴とする。
【００１６】
（３）の発明によれば、例えば、適切な壁面がある場所に、吸盤により壁面に吸着して設置されるため、洗面台や棚等のスペースがなくても設置することができる。また、例えば、上下２つの吸盤を壁面に吸着させて設置できるため、包装袋の上側に位置する吸盤部と横型ポンプを固定する下側の吸盤部とで包装袋を安定的に固定することができるため、使用時に横型ポンプ付きディスペンサが落下するおそれがない。
【００１７】
また、（３）の発明によれば、例えば、ポンプヘッドの押圧方向が、吸盤部の中心を通るため、ポンプ使用時に吸盤の吸着力を維持又は増大させ、横型ポンプ付きディスペンサが落下するおそれがない。
【００１８】
さらに、（３）の発明によれば、包装袋に収納されている流体は残存することなく最後まで余すことなく使い切ることができるので、経済的である。
【００１９】
（４）上記目的を達成するため、本発明の一態様のディスペンサは、前記吊下げ部は、さらに吊り下げ用フック部を有し、前記シール部は、前記吊り下げ用フック部を通すための孔を有する、ことを特徴とする。
【００２０】
（４）の発明によれば、吊り下げ用フック部に包装袋の孔を通して包装袋を引っ掛けることができるので、ディスペンサが落下するおそれがない。
【００２１】
（５）上記目的を達成するため、本発明の一態様の横型ポンプ付きディスペンサは、前記吊下げ部は、さらにクリップ部を有する、ことを特徴とする。
【００２２】
（５）の発明によれば、クリップ部に包装袋の一部を挟むことにより、包装袋を吊り下げることができるので、横型ポンプ付きディスペンサが落下するおそれがない。
【発明の効果】
【００２３】
本発明によれば、使用時に設置位置から落下することなく、内容物を余すことなく供給することができる、スペースを占有しないディスペンサを提供することができる。
【図面の簡単な説明】
【００２４】
【図１】本発明の横型ポンプ付きディスペンサに係る一実施形態の構成を示す立体斜視図である。
【図２】図１の横型ポンプ付きディスペンサの構成のうち、包装袋を示す正面図である。
【図３】図１の横型ポンプ付きディスペンサの構成のうち、吊下げ部を示す斜視図である。
【図４】図１の横型ポンプ付きディスペンサの構成のうち、横型ポンプを示す図である。
【図５】本発明に係る一実施形態としての横型ポンプ付きディスペンサであって、図１とは異なる例を示す図である。
【図６】特許文献１に記載されたディスペンサを示す図である。
【図７】特許文献２に記載されたディスペンサを示す図である。
【図８】特許文献３に記載されたディスペンサを示す図である。
【発明を実施するための形態】
【００２５】
以下、本発明の一実施形態について図面を適宜参照しつつ説明する。
［第１実施形態］
図１は、本発明の横型ポンプ付きディスペンサに係る一実施形態の構成を示す立体斜視図である。
ここで、「横型ポンプ」とは、ポンプ使用時に、ポンプの押圧方向が横方向（例えば、壁面に対して垂直方向）であるポンプをいう。
【００２６】
図１の横型ポンプ付きディスペンサ１は、内容物を収納する包装袋２と、包装袋２を吊り下げる吊下げ部３と、内容物を吐出する横型ポンプ部４と、から構成される。
【００２７】
包装袋２は、図２に示すように、シール部５、開孔部６、内容物収容部７、及び開口部８からなる。
シール部５は、２枚又はそれ以上の枚数の軟質性のフィルムが重ねられて接着されており、内容物が外部に漏れないように密閉する役割を果たしている。
開孔部６は、シール部５の領域内に設けられた穿孔であり、後述する吊下げ部３の吊下げ用フック部９を通すための孔である。
内容物収容部７は、シール部５により囲まれた部分であり、重ねられた２枚の軟質性のフィルムが空洞部を形成しており、内容物を収納することができる。
【００２８】
開口部８は、内容物を外部（ポンプ）へ吐出する部分であり、プラスチック製のキャップと、開口がありキャップが螺合される雄ネジ形状の筒部と、周囲がシール部５と接着している接着基部とにより形成された部分である。使用前の状態で、開口部８のキャップは、雄ネジ形状の筒部に螺合されており、横型ポンプ部４に接合する場合、キャップを外して、開口部８の雄ネジ形状と後述する横型ポンプ部４の接続部１４の内側の雌ネジ形状とを螺合させる。
本実施形態においては、内容物収容部７は、開口部８へ内容物が余すことなく全て流入するように、開口部８に向かって先細りの形状となっている。
【００２９】
吊下げ部３は、図３に示すように、吊下げ用フック部９と吸盤部１０からなる。吊下げ用フック部９は、先端が鉤状に加工されている。吊下げ用フック部９の先端は、前述した包装袋２の開孔部６の孔に通すことによって、包装袋２を吊り下げることができる。吸盤部１０は、吊下げ用フック部９の可動基部に接着されている吸盤であり、吊下げ用フック部９を壁面に固定する。吸盤部１０は、内容物が充填された包装袋２が壁面からずり落ちない程度の吸着力を有する。
【００３０】
図４（１）は、横型ポンプ付きディスペンサ１を構成する横型ポンプ部４の断面図である。
横型ポンプ部４は、ポンプケース１１、背板１２、吸盤部１３、接続部１４、ポンプヘッド１５、吐出部１６、ピストン１７、ポンプシリンダ１８、留具１９、流入口２０、スプリング２１、及び逆流防止弁２２から構成される。
ポンプケース１１は、ポンプシリンダ１８等を収納するケースであり、吸盤部１３を覆う背板１２と一体となっている。
【００３１】
また、吸盤部１３は、背板１２に対して吸盤部１３の中心に位置する留具１９により固着されている。吸盤部１３は、横型ポンプ付きディスペンサ１が壁面からずり落ちない程度の吸着力を有しているので、吸盤部１３が壁面に吸着すると、吸盤部１３と一体となって固定されているポンプケース１１及び背板１２も壁面に固定されることになる。
【００３２】
接続部１４は、内側が雌ネジ形状である筒部を有し、包装袋２のキャップを外した開口部８の雄ネジ形状の筒部と螺合するように構成されている。このため、包装袋２の内容物収容部７に収納された内容物は、接続部１４から流入口２０を介して、ポンプケース内のポンプシリンダ１８内に流入し、横型ポンプ付きディスペンサ１の使用時には、流体は吐出部１６から吐出される。
【００３３】
逆流防止弁２２は、球状のベアリングからなり、ポンプの押圧時には、接続部１４と流入口２０とをつなぐ開路を塞ぐように係止するように作用するため、ポンプシリンダ１８内の液体が包装袋２への逆流を防止する役割を果たす。
【００３４】
ポンプヘッド１５は、横型ポンプ付きディスペンサ１を使用する際に、使用者が手で押す部位である。ポンプヘッド１５が押圧されると、連動するピストン１７がポンプシリンダ１８の奥へスライドし、ポンプシリンダ１８内部に溜まった流体の圧力が増加する。このため、ポンプシリンダ１８内の流体はピストン１７内の導路を通過して吐出部１６から吐出する。そして、ポンプヘッド１５の押圧を止めると、スプリング２１の反発力により、ピストン１７が外方へスライドして押圧開始位置に戻される。この場合、流入口２０から包装袋２内部の流体がポンプシリンダ１８内へと吸引される。
使用者は、上記の押圧動作を繰り返すことにより、所望の量の流体を吐出させることができる。
【００３５】
図４（２）は、横型ポンプ付きディスペンサを構成する横型ポンプを示す立体斜視図である。
ポンプケース１１と背板１２とは、連続一体となっており、例えば、射出成形により製造されるプラスティック製のものであってもよい。本実施形態では、背板１２は、円形の一部（下部半円）が欠けた形状となって吸盤部１３が露出する構成となっているが、背板１２は完全な円形であっても構わない。
また、本実施形態では、ポンプケース１１は、底部が平面形状、即ち全体がかまぼこ型となっているが、特にこの形状に限定される必要はなく、ポンプケース１１は、円筒形であってもよい。
【００３６】
ポンプヘッド１５とピストン１７とは連続一体となっており、ポンプヘッド１５を回動するとピストン１７も回動するように構成されている。このため、ポンプヘッド１５をひねって調整することにより、吐出部１６を任意の方向に向けて使用することができる。
本実施形態では、ポンプヘッド１５は、回動するように構成されているが、ポンプヘッド１５及びピストン１７は、回動せず、固定した状態であっても構成されていてもよい。
【００３７】
ポンプヘッド１５は、ポンプケース１１と接するように構成されているため、押圧動作の際、ポンプケース１１と連続する背板１２が、ポンプの中心軸を常に壁面に対して垂直に固定する働きをする。また、押圧の方向の中心軸が吸盤部１３にあるため、ポンプヘッド１５の押圧時に、吸盤部１３を押す力が働く。このため、横型ポンプ部４全体が揺れることなく安定した状態で、ポンプヘッド１５の押圧動作を行うことができ、押圧動作を円滑に行うことができる。
【００３８】
図４（３）は、図４（２）の例よりもポンプケース１１が太く、ポンプケース１１の円形部の半径が、背板１２の半径にほぼ等しくなっている。このように太いポンプケース１１により構成されることで、図４（２）の例よりもより安定的にポンプヘッド１５の押圧動作をすることができる。
【００３９】
図４（４）は、図４（３）の例よりもピストン１７がポンプケース１１に覆われるように構成されている。ピストン１７は、ポンプケース１１よりも細い形状であるため、図４（２）及び図４（３）では、不用意にピストン１７を横向きに力を加えてしまった場合にピストン１７が折れたり、破損するおそれがある。図４（４）に示すように、ピストン１７がポンプケース１１に覆われていれば、ピストン１７が折れたり、破損するおそれがなくなる。
【００４０】
本発明の横型ポンプ部４は、ピストン１７の中心軸が吸盤部１３の中心を通るように構成されている。したがって、ポンプヘッド１５を押す力は、留具１９を介して、吸盤部１３の中心付近を押す力として伝達され、吸盤部１３を壁面に吸着させるように作用する。また、押圧動作の際、ポンプケース１１と連続する背板１２が、ポンプの中心軸を、常に壁面に対して垂直に固定する働きをする。このため、使用時に、吸盤部１３が固定された位置がずれたり、吸盤部１３が吸着力を失って、横型ポンプ付きディスペンサ１が落下するおそれがない。
このように、ポンプの押圧方向が、吸盤部１３の中心を通ることは、ポンプ使用時に吸盤の吸着力を維持又は増大させるため、横型ポンプ付きディスペンサ１の安定性に優れている。
なお、ピストン１７の中心軸は吸盤部１３の中心からずれていてもよく、ピストン１７の中心軸が吸盤部１３を貫く位置にあればよい。
【００４１】
本発明の横型ポンプ付きディスペンサ１のポンプシリンダ１８の容量は、数回の押圧動作により、所望の量の流体が吐出できるように調整されている。
吸盤部１３の面積が小さすぎると所定の吸着力が得られないため、吸盤部１３の面積は、少なくともポンプシリンダの断面積よりも大きいことが必要で、望ましくは、ポンプケース１１の断面積よりも大きいほうが好ましい。
【００４２】
本発明に係る第１実施形態の横型ポンプ付きディスペンサ１は、適切な壁面がある場所に、吸盤により壁面に吸着して設置されるため、洗面台や棚等のスペースがなくても設置することができる。
また、本発明に係る第１実施形態の横型ポンプ付きディスペンサ１は、包装袋２に弛みがない状態で、上下２つの吸盤が壁面に吸着して設置されるため、特許文献１及び特許文献３のパウチの上端のみ固定する技術のように、使用時に押圧動作の力を入れすぎたり、誤ってパウチを引っ張ってしまうことによって、上端の吸盤がはがれてしまうおそれがない。即ち、包装袋２の上側に位置する吸盤部１０と横型ポンプ部４を固定する下側の吸盤部１３とで安定的に固定されているため、使用時に横型ポンプ付きディスペンサ１が落下するおそれがない。
【００４３】
また、本発明に係る第１実施形態の横型ポンプ付きディスペンサ１は、ポンプヘッド１５の押圧方向が、壁面に垂直方向であるため、壁面に吸着する吸盤部１３の吸着力を低下させるおそれがない。このため、ポンプの押圧操作により、横型ポンプ付きディスペンサ１が落下するおそれがない。
【００４４】
さらに、本発明に係る第１実施形態の横型ポンプ付きディスペンサ１は、特許文献２のようにチューブがパウチを突き刺している構成ではなく、包装袋２の下部に位置する開口部８を介して包装袋２の流体がすべて横型ポンプに流下できるように構成されている。このため、包装袋２に収納されている流体は残存することなく最後まで使い切ることができるので、経済的である。
【００４５】
［第２実施形態］
横型ポンプ付きディスペンサ１は、第１実施形態では、吊下げ用フック部９を有する吊下げ部３を備えていたが、特に第１実施形態の例に限定されず、吊下げ部３は、包装袋２を吊下げられるものであれば任意の部品であってもよい。
また、横型ポンプ付きディスペンサ１は、第１実施形態では、矩形の包装袋２の底辺部中央に開口部８が設置されていたが、特に第１実施形態の例に限定されず、矩形の包装袋２の角に開口部８を有するものであってもよい。
【００４６】
第２実施形態の横型ポンプ付きディスペンサ１の吊下げ部３は、図５（１）に示すように、クリップ部３０と吸盤部１０とから構成される。
第２実施形態のクリップ部３０は、第１実施形態の吊下げ用フック部９と同様に包装袋２を吊り下げることができる。クリップ部３０は、包装袋２に開孔部６がなくても、包装袋２を把持することができる。
【００４７】
第２実施形態の横型ポンプ付きディスペンサ１は、第１実施形態と同様に、適切な壁面がある場所に、吸盤により壁面に吸着して設置されるため、洗面台や棚等のスペースがなくても設置することができる。
また、本発明に係る第２実施形態の横型ポンプ付きディスペンサ１は、包装袋２に弛みがない状態で、上下２つの吸盤を壁面に吸着して設置されるため、特許文献１及び特許文献３のパウチの上端のみ固定する技術のように、使用時に押圧動作の力を入れすぎたり、誤ってパウチを引っ張ってしまうことによって、上端の吸盤がはがれてしまうおそれがない。即ち、包装袋２の上側に位置する吸盤部１０と横型ポンプ部４を固定する下側の吸盤部１３とで安定的に固定されているため、使用時に横型ポンプ付きディスペンサ１が落下するおそれがない。
【００４８】
また、本発明に係る第２実施形態の横型ポンプ付きディスペンサ１は、ポンプヘッド１５の押圧方向が、壁面に垂直方向であるため、壁面に吸着する吸盤部１３の吸着力を低下させるおそれがない。このため、ポンプの押圧操作により、横型ポンプ付きディスペンサ１が落下するおそれがない。
【００４９】
さらに、本発明に係る第２実施形態の横型ポンプ付きディスペンサ１は、特許文献２のようにチューブがパウチを突き刺している構成ではなく、包装袋２の下部に位置する開口部８を介して包装袋２の流体がすべて横型ポンプに流下できるように構成されている。このため、包装袋２に収納されている流体は残存することなく最後まで使い切ることができるので、経済的である。
【００５０】
さらに、第２実施形態の横型ポンプ付きディスペンサ１は、第１実施形態で述べた効果と同様の効果を得ることができる。さらに、第２実施形態の横型ポンプ付きディスペンサ１は、包装袋２に開孔部６を設けることを必要としないだけでなく、把持するだけで包装袋２を吊り下げることができるので、第１実施形態のような吊下げ用フック部９を開孔部６に通す煩雑さがない。
【００５１】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【符号の説明】
【００５２】
１・・・横型ポンプ付きディスペンサ
２・・・包装袋
３・・・吊下げ部
４・・・横型ポンプ部
５・・・シール部
６・・・開孔部
７・・・内容物収容部
８・・・開口部
９・・・吊下げ用フック部
１０・・・吸盤部
１１・・・ポンプケース
１２・・・背板
１３・・・吸盤部
１４・・・接続部
１５・・・ポンプヘッド
１６・・・吐出部
１７・・・ピストン
１８・・・ポンプシリンダ
１９・・・留具
２０・・・流出口
２１・・・スプリング
２２・・・逆流防止弁
３０・・・クリップ部
【図１】
2015067324.tif 000003
【図２】
2015067324.tif 000004
【図３】
2015067324.tif 000005
【図４】
2015067324.tif 000006
【図５】
2015067324.tif 000007
【図６】
2015067324.tif 000008
【図７】
2015067324.tif 000009
【図８】
2015067324.tif 000010